(57)【要約】      （修正有）【課題】香典袋と芳名カードを一体化させることにより、法事等の受付の手間を簡略化出来るようにした芳名カード付香典袋を提供する。【解決手段】和紙状の厚紙で形成された金銭を収納すべき外装本体と当該外装本体との境目にミシン目を設けて必要な際に切り取れるように一体に延設した芳名カードとから香典袋を形成する。さらに、表面側においては外装本体に御霊前や御仏前あるいは御香典のいずれかの文字並びに水引の印刷を施し、裏面側においては芳名カードに住所・氏名・電話番号・金額欄を印刷し２か所の綴じ孔を設け、外装本体を折りたたんで袋状にする。また、最後に芳名カードをミシン目に沿ってその袋裏部に折り曲げ、袋部分と一体感のある芳名カードとする。【選択図】図１
0003179229.tif 000002
【実用新案登録請求の範囲】
【請求項１】
外装本体と該外装本体の折り込み片を長く形成して、該外装折り込み片に印刷にて住所氏名、郵便番号、電話番号、関係欄等を設け、折り込み片にはミシン目を設け、切り離しからなる芳名カードを設けたことを特徴とする香典袋
【請求項２】
両面印刷を施した和紙状の厚紙を裏面から打ち抜く際に縦４本、横２本の折り筋と縦１本の切り取り用のミシン目を入れ、更に２ヶ所にパンチ穴を開け、前記縦４本の折り筋を谷折り１本、山折り３本にして折り筋に従って折り５枚からなる短冊状にして更に上下２本の横筋を山折りする形状からなる請求項１の香典袋
【考案の詳細な説明】
【技術分野】
【０００１】本考案は香典袋に関するものである。
【背景技術】
【０００２】和紙状の厚紙に片面印刷を施した従来の香典袋は古来より知られている。
【先行技術文献】
【特許文献】
【０００３】
【特許文献１】実開平７−２８０７０１号公報先行の祝儀不祝儀袋は金銭の収納されるべき封筒本体と該封筒本体の開口部に延設された封止片を長く形成し、該封止片に、住所欄、氏名欄、金額記入欄を設け、封止片にミシン目又はスリット等を入れ切り離すことのできる形態の考案である。
【考案の概要】
【考案が解決しようとする課題】
【０００４】従来の香典袋は和紙状の厚紙の表面に水引や御霊前、御香典、金額、郵便番号、住所、氏名電話番号欄等の片面印刷を施した簡易型のものと、図７に示す様に内封筒の表面に郵便番号、住所、氏名、電話番号等の記入欄、裏面に金額記入欄を設け、折りたたみ袋は図８に示す様に和紙状の厚紙の左端側に緑や黒の線のみの片面印刷を施し、内封筒を中央に置き、その両側より適宜折りたたみ、その袋の表面中央に短冊状の和紙に御霊前、御香典等の印刷をした紙の下部に氏名を記入し差し込んで使用する通常型のものがある。簡易型及び通常型の香典袋では、記帳を求められる芳名帳や芳名カードが葬儀場受付でしか記入できない為、通夜、葬儀での受付で混雑の緩和が困難であり、高齢者や体の不自由な方及び連名代表者が芳名カードの記入にかなりの時間を費やされる事になり焼香に遅れがでるだけでなく受付での混雑緩和の妨げになるなど困難があった。
【課題を解決する為の手段】
【０００５】本考案の芳名カード付香典袋は和紙状の厚紙に両面印刷を施し裏面から打ち抜く際に縦４本、横２本の折り筋と縦１本の切り取り用のミシン目を入れ更に２ヶ所にパンチ穴を開け、前記縦４本の折り筋を谷折り１本山折りを３本にして折り筋に従って折り５枚からなる短冊状にして、更に上下２本の横筋を山折りにする形状からなる新型の芳名カード付香典袋を具備することに構成した。
【考案の効果】
【０００６】本考案に係わる芳名カード付香典袋は従来の香典袋と芳名カードを一枚の紙に合体させ紙の折り曲げ方の工夫により芳名カードと香典袋の一体化の実現をさせることができ、これによって一般葬儀はもとより、各界人葬や社葬など大きな葬儀に伴なう混雑緩和にも大きな有効性を図るだけでなく、急な葬儀のため仕事や私事で通夜、葬儀に出席できない方でも、予め芳名カードの記入が事前に自分で出来るために友人、知人に託しやすく、又連名香典においても連名用芳名カードを使用すれば、連名者各々で芳名カードに住所、氏名、電話番号、金額等の記入ができ、連名代表者も会場受付での全員の芳名カード記入の煩わしさもなくそのまま受付に出すだけで良く又、芳名カードと香典袋本体に印刷をしてあるＮｏ．欄に共通番号を受付担当の方が記入すれば、後日香典袋の差出人と金額等の照合が容易にでき、整理が簡単であり、葬儀参列者、受付担当者、喪家、葬儀社、全てにおいて実用性に優れた効果を発揮するものである。
【図面の簡単な説明】
【０００７】
【図１】本考案に係わる芳名カード付香典袋の組立における表面工程図である。
【図２】本考案に係わる芳名カード付香典袋の組み立て方の一部工程図面である。
【図３】本考案に係わる芳名カード付香典袋の組み立て方の一部工程表図面である。
【図４】本考案に係わる芳名カード付香典袋の一部工程裏面図である。
【図５】本考案に係わる連名用芳名カード付香典袋の表面図である。
【図６】本考案に係わる連名用芳名カード付香典袋の裏面図である。
【図７】既存の内封筒表裏の説明図である
【図８】既存の香典袋の折り方及び使用方法の説明図である。
【考案を実施するための形態】
【実施例】
【０００８】図１に示すように４本の縦折り筋（２）の１本を山折り、２本を谷折りにする。
次に図２に示すように上下２本の折り筋（３，４）を山折りにして芳名カード部分の縦筋１本を山折りにして、芳名カードを香典袋の裏側に折り曲げる。【０００９】図３に示すように山折りに曲げた芳名カードを香典袋の裏面に折り曲げ多少の力を施す。
次に図４に示すような裏面で完成となる。
【符号の説明】
【００１０】１・・・芳名カード付香典袋
２・・・縦折り筋
３・・・上方横折り筋
４・・・下方横折り筋
５・・・芳名カード
【図１】
0003179229.tif 000003
【図２】
0003179229.tif 000004
【図３】
0003179229.tif 000005
【図４】
0003179229.tif 000006
【図５】
0003179229.tif 000007
【図６】
0003179229.tif 000008
【図７】
0003179229.tif 000009
【図８】
0003179229.tif 000010
【手続補正書】
【提出日】平成24年8月1日(2012.8.1)
【手続補正１】
【補正対象書類名】明細書
【補正対象項目名】全文
【補正方法】変更
【補正の内容】
【考案の詳細な説明】
【技術分野】
【０００１】  本考案は香典袋に関するものである。
【背景技術】
【０００２】  和紙状の厚紙に片面印刷を施した従来の香典袋は古来より知られている。
【先行技術文献】
【特許文献】
【０００３】
【特許文献１】実開平７−２８０７０１号公報
【考案の概要】
【考案が解決しようとする課題】
【０００４】従来の香典袋は和紙状の厚紙の表面に水引や御霊前、御仏前、御香典という文字が印刷され、裏面に郵便番号、住所、氏名、電話番号、金額の文字が印刷された簡易型のものと、図７および図８に示すような和紙状の厚紙でできた折りたたみ袋の表面略中央に水引を嵌め、その水引と折たたみ袋表面との間に、御霊前、御仏前などの文字を印刷した短册状の紙片を差し込み固定し、折たたみ袋の中には裏面に住所、氏名、金額の文字が印刷された内封筒が収納されるようになされた通常型とがある。しかしどちらも会場受付に差し出す際は、その前に芳名帳や芳名カードに記入する必要があり、通夜、葬儀での受付での混雑により、記入遅れが生じ、ひいてはそれがため、焼香に遅れがでるなどの問題がある。【０００５】また、先行技術の考案は、先行の祝儀不祝儀袋は金銭の収納されるべき封筒であって、その開口部に延設された封止片を一般的な長さよりも長く形成し、その封止片にあらかじめ住所欄・氏名欄・金額記入欄が印刷され、使用者がここに記入し、実際の金銭を封筒に入れた後、封止片の先端側に形成された剥離片で覆われた糊付部の、その剥離片を剥がして封筒裏側に接着固定するものである。受付者はこの封止片の間に指などを入れて封止片を封筒から剥がす力をかければ、封止片に設けられた破断線にそって封止片が封筒から剥がれ、封止片に書いてある、氏名・住所・金額を確認し、実際の金銭の額と合っているか確認をして、金銭収納することができるものである。さらに必要であれば、受付者はその封止片を、封筒と封止片との境目に設けたもう一つの破断線から剥がして、剥がした封止片を別途管理できるようになっているものである。使用者が別途芳名カードに新たに記入しないで直接祝儀不祝儀袋の封止片に記入しておくことで、受付者は受け付けた後、その封止片を別途保管することで当日の記帳管理の手間を省くことができるというものであるが、一般的な祝儀不祝儀袋のサイズからみて、この封止片のサイズでは指名、住所、金額の欄が小さく記入しづらい点、また受付者が封止片を破断線から破いて封筒を開け、中の金額を確かめる際、下手をすると封止片の途中で破れてしまう現象も生じ得る。さらには、切り取った封止片をどのように保管管理するのかの提案が何もなされていないので、この考案は一長一短がある。
【課題を解決するための手段】
【０００６】本考案の芳名カード付香典袋は、和紙状の厚紙で形成された金銭を収納すべき外装本体と当該外装本体との境目にミシン目を設けて必要な時に切り取りができるよう一体に延設した芳名カードとからなり、表面側においては外装本体に御霊前や御仏前あるいは御香典並びに水引の印刷を施し、裏面側においては芳名カードに住所・氏名・電話番号・金額欄を印刷し２か所の綴じ孔を設け、外装本体を折りたたんで袋状になした後に、最後にその袋裏部に折り曲げて、袋部分と一体感のある芳名カードを備えることを特長とした芳名カード付香典袋とする。
【考案の効果】
【０００７】このように、香典袋の裏側に芳名カードを備えたので、時間がある時にあらかじめこの芳名カードに住所、氏名、金額を記入しておき、その芳名カードを香典袋に付けたまま会場に行けば、すぐにそのまま受付に差出ができ、老人や身体の不自由な方でも、受付での記帳に伴う身体的負担もなく、また、主催者としても会場での混雑防止に翻弄されることもなく、受付での金額照合作業も容易で、しかも芳名カードをミシン目から切り取って別途ファイル保存できるので、安心、確実、楽に、スピーディーに葬儀を進行できるものである。また、連名用芳名カードを使用すれば、芳名カードにあらかじめ連名者各々の住所、氏名、電話番号、金額の記入をしておけば、連名代表者による会場受付での全員の芳名カード記入などという煩わしさもない。従って、本考案の芳名カード付き香典袋を使用することによって、葬儀参列者、受付担当者、喪家、葬儀社、全てにおいて時間短縮、手間の軽減、エネルギー消費の軽減など優れた効果を発揮するものである。
【図面の簡単な説明】
【０００８】
【図１】本考案に係る芳名カード付き香典袋の展開表面を示した図
【図２】本考案に係る芳名カード付き香典袋の展開裏面を示した図
【図３】本考案に係る芳名カード付き香典袋の折り込み完成表面を示した図
【図４】本考案に係る芳名カード付き香典袋の折り込み完成裏面を示した図  
【図５】本考案に係る連名用芳名カード付き香典袋の展開表面を示した図
【図６】本考案に係る連名用芳名カード付き香典袋の展開裏面を示した図
【図７】既存の通常型香典袋の内封筒表裏説明図
【図８】既存の通常型香典袋の折り込み方説明と仕上がり表面を示した図
【考案を実施するための形態】
【実施例】
【０００９】図１および図２のように両面印刷を施した和紙状の厚紙を裏面から打ち抜く際に、縦３本の折り筋（２Ａ，２Ｂ，２Ｃ）と横２本の折り筋（３，４）とさらに縦１本の切り取り用のミシン目（２Ｄ）を入れ、更にＪＩＳ規格のパンチ穴２穴を開けておく。これで香典袋としての外装本体１‘とそれに一体に延設された芳名カード５が形成される。まずは外装本体１’を折り曲げて袋状にするが、折り曲げ順序は、前記縦３本の折り筋を図１の２Ｃのみ谷折り、残りを山折りにする。これで図３のごとく御霊前等の印刷がなされた部分を正面にして、外装本体１‘の横２本の折り筋３，４を共に裏側に折り曲げる。最後に住所、氏名、電話願号、金額欄が印刷された芳名カード５をミシン目２ｄで谷折りとし、外装本体１’の後ろ側に折り曲げる。（図４）【００１０】また別の実施例として、図５は外装本体１‘と一体に連節された芳名カード５が連名用芳名カードとしても適用できることを示しており、最初の実施例の芳名カード５である個人用芳名カード５の裏側に連名用として、複数の住所、氏名、電話番号、金額の欄が印刷してあるものである。従って、この実施例での香典袋においては、芳名カード５が個人用（図６）と連名用（図５）と２種類のものが表と裏でどちらも記入できるようになされており、適宜選択使用できる特長を有している。
【符号の説明】
【００１１】１    芳名カード付香典袋１‘  外装本体２Ａ  縦折り筋２Ｂ  縦折り筋２Ｃ  縦折り筋２Ｄ  ミシン目３    横折り筋４    横折り筋５    芳名カード
【手続補正２】
【補正対象書類名】図面
【補正対象項目名】全図
【補正方法】変更
【補正の内容】
【図１】
0003179229.tif 000011
【図２】
0003179229.tif 000012
【図３】
0003179229.tif 000013
【図４】
0003179229.tif 000014
【図５】
0003179229.tif 000015
【図６】
0003179229.tif 000016
【図７】
0003179229.tif 000017
【図８】
0003179229.tif 000018
【手続補正３】
【補正対象書類名】実用新案登録請求の範囲
【補正対象項目名】全文
【補正方法】変更
【補正の内容】
【実用新案登録請求の範囲】
【請求項１】
和紙状の厚紙で形成された金銭を収納すべき外装本体と当該外装本体との境目にミシン目を設けて必要な際に切り取れるように一体に延設した芳名カードとからなり、表面側においては外装本体に御霊前や御仏前あるいは御香典のいずれかの文字並びに水引の印刷を施し、裏面側においては芳名カードに住所・氏名・電話番号・金額欄を印刷し２か所の綴じ孔を設け、外装本体を折りたたんで袋状になした後に、最後に芳名カードをミシン目に沿ってその袋裏部に折り曲げ、袋部分と一体感のある芳名カードを備えることを特長とした芳名カード付香典袋。